(57)【要約】【課題】通信品質の向上を図ること。【解決手段】通信端末１１０は、受信部１１１と、比較部１１２と、送信部１１３と、を備える。受信部１１１は、複数のセルにより同時に無線送信された各信号を受信する。比較部１１２は、受信部１１１によって同時に受信された各信号に含まれる複数のセルと自端末との間の間欠通信の各制御パラメータを比較する。送信部１１３は、比較部１１２による比較結果に基づいて、各制御パラメータが一致しない場合に、制御パラメータの再送を複数のセルに対して要求する要求信号を無線送信する。【選択図】図１Ｂ
2015002353.tif 000002
【特許請求の範囲】
【請求項１】
複数のセルにより同時に無線送信された各信号を受信する受信部と、
前記受信部によって同時に受信された各信号に含まれる前記複数のセルと自端末との間の間欠通信の各制御パラメータを比較する比較部と、
前記比較部による比較結果に基づいて、前記各制御パラメータが一致しない場合に、前記制御パラメータの前記複数のセルによる再送を要求する要求信号を無線送信する送信部と、
を備えることを特徴とする通信端末。
【請求項２】
前記複数のセルは、自端末との間の無線伝搬路が互いに異なるセルであることを特徴とする請求項１に記載の通信端末。
【請求項３】
前記間欠通信は、自局が前記複数のセルからの各信号の受信を間欠的に行う間欠受信を含み、
前記制御パラメータは前記間欠受信の活性および不活性を制御するパラメータである、
ことを特徴とする請求項１または２に記載の通信端末。
【請求項４】
複数のセルを形成し、前記複数のセルにより各信号を同時に無線送信する１つ以上の基地局と、
前記複数のセルにより同時に無線送信された各信号を受信し、同時に受信した各信号に含まれる前記複数のセルと自端末との間の間欠通信の各制御パラメータを比較し、前記各制御パラメータが一致しない場合に、前記制御パラメータの前記複数のセルによる再送を要求する要求信号を無線送信する通信端末と、
を含むことを特徴とする通信システム。
【請求項５】
複数のセルにより各信号を通信端末へ同時に無線送信する通信方法であって、
前記通信端末によって同時に受信された各信号に含まれる前記複数のセルと前記通信端末との間の間欠通信の各制御パラメータを比較し、
前記各制御パラメータが一致しない場合に、前記制御パラメータの前記複数のセルによる再送を要求する要求信号を無線送信する、
ことを特徴とする通信方法。
【発明の詳細な説明】
【技術分野】
【０００１】
本発明は、通信端末、通信システムおよび通信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、移動体通信の通信方式としてＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式が規定されている。
【０００３】
Ｗ−ＣＤＭＡにおける基地局と移動通信端末との間の通信のアクセス方式は、複数のアクセス方式の中から用途に応じて選択される。これらの複数のアクセス方式の一つとして、基地局から移動通信端末への高速データ通信に用いられるＨＳＤＰＡ（Ｈｉｇｈ  Ｓｐｅｅｄ  Ｄｏｗｎｌｉｎｋ  Ｐａｃｋｅｔ  Ａｃｃｅｓｓ）が知られている（たとえば、下記特許文献１参照。）。
【０００４】
ＨＳＤＰＡにおいては、共通の物理チャネルリソースが、時間領域および符号ごとに異なるユーザで動的に割り当てられることにより共通リソースとして取り扱われる。また、ＨＳＤＰＡに対応付けられるトランスポートチャネルとしてＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）が知られている。また、ＨＳ−ＤＳＣＨにおいて、隣り合った２つの周波数帯を同時に利用して通信を行うデュアルセルＨＳ−ＤＳＣＨ（Ｄｕａｌ  Ｃｅｌｌ  ＨＳ−ＤＳＣＨ）が知られている。
【先行技術文献】
【特許文献】
【０００５】
【特許文献１】特開２０１０−５０９９０号公報
【発明の概要】
【発明が解決しようとする課題】
【０００６】
しかしながら、上述した従来技術では、デュアルセルによって同時に送信された各制御パラメータは異なる無線伝搬路によって通信端末へ到達するため、通信端末が受信した各制御パラメータに不整合が生じる場合がある。このような場合に、通信が不安定となり、通信品質が劣化するという問題がある。
【０００７】
１つの側面では、本発明は、通信品質の向上を図ることができる通信端末、通信システムおよび通信方法を提供することを目的とする。
【課題を解決するための手段】
【０００８】
上述した課題を解決し、目的を達成するため、本発明の一側面によれば、複数のセルにより各信号を通信端末へ同時に無線送信する場合に、前記通信端末によって同時に受信された各信号に含まれる前記複数のセルと前記通信端末との間の間欠通信の各制御パラメータを比較し、前記各制御パラメータが一致しない場合に、前記制御パラメータの前記複数のセルによる再送を要求する要求信号を無線送信する通信端末、通信システムおよび通信方法が提案される。
【発明の効果】
【０００９】
本発明の一側面によれば、通信品質の向上を図ることができるという効果を奏する。
【図面の簡単な説明】
【００１０】
【図１Ａ】図１Ａは、実施の形態１にかかる通信システムの一例を示す図である。
【図１Ｂ】図１Ｂは、図１Ａに示した通信システムにおける信号の流れの一例を示す図である。
【図１Ｃ】図１Ｃは、実施の形態１にかかる通信システムの変形例を示す図である。
【図１Ｄ】図１Ｄは、図１Ｃに示した通信システムにおける信号の流れの一例を示す図である。
【図２】図２は、実施の形態２にかかる通信システムの一例を示す図である。
【図３】図３は、ＭＳの構成の一例を示す図である。
【図４】図４は、ＢＢ−ＬＳＩの構成の一例を示す図である。
【図５】図５は、ＤＳＰ処理部における信号処理の流れの一例を示す図である。
【図６】図６は、ＨＳ−ＳＣＣＨ  ｏｒｄｅｒのマッピングの一例を示す図である。
【図７】図７は、ＨＳ−ＳＣＣＨ  ｏｒｄｅｒによるＣＰＣ制御時の動作の一例を示すシーケンス図である。
【図８】図８は、ＣＰＣ制御パラメータの不一致発生時の動作の一例を示すシーケンス図である。
【図９】図９は、ＭＳの動作の一例を示すフローチャートである。
【発明を実施するための形態】
【００１１】
以下に図面を参照して、本発明にかかる通信端末、通信システムおよび通信方法の実施の形態を詳細に説明する。
【００１２】
（実施の形態１）
（実施の形態１にかかる通信システム）
図１Ａは、実施の形態１にかかる通信システムの一例を示す図である。図１Ｂは、図１Ａに示した通信システムにおける信号の流れの一例を示す図である。図１Ａ，図１Ｂに示すように、実施の形態１にかかる通信システム１００は、たとえば、基地局１２１，１２２と、通信端末１１０と、を含む。
【００１３】
通信端末１１０は、複数のセルにより同時に無線送信された各信号を受信するデュアルセル通信を行う。複数のセルは、互いに周波数（搬送波）が異なるセルである。また、複数のセルは、たとえば、互いに無線伝搬路が異なるセルである。
【００１４】
図１Ａ，図１Ｂに示す例では、通信端末１１０のデュアルセル通信に用いる複数のセルは、基地局１２１，１２２の各アンテナによって形成される。基地局１２１，１２２は、互いに異なる周波数（搬送波）によって通信端末１１０への信号を同時に無線送信する。
【００１５】
また、基地局１２１，１２２から通信端末１１０へ同時に無線送信される各信号には、基地局１２１，１２２（複数のセル）と通信端末１１０との間の間欠通信の制御パラメータが含まれる場合がある。また、同時に無線送信される各信号に含まれる間欠通信の各制御パラメータは、同一のパラメータとなっている。
【００１６】
間欠通信には、たとえば通信端末１１０が基地局１２１，１２２からの各信号の受信を間欠的に行う間欠受信（ＤＲＸ：Ｄｉｓｃｏｎｔｉｎｕｏｕｓ  ｒｅｃｅｐｔｉｏｎ）が含まれる。この場合は、制御パラメータは、たとえば間欠受信の活性（Ａｃｔｉｖａｔｉｏｎ）および不活性（Ｄｅ−ａｃｔｉｖａｔｉｏｎ）を制御するパラメータである。
【００１７】
また、間欠通信には、通信端末１１０が基地局１２１，１２２への信号の送信を間欠的に行う間欠送信（ＤＴＸ：Ｄｉｓｃｏｎｔｉｎｕｏｕｓ  ｔｒａｎｓｍｉｓｓｉｏｎ）を含んでいてもよい。この場合は、制御パラメータは、間欠送信の活性および不活性を制御するパラメータである。
【００１８】
通信端末１１０は、受信部１１１と、比較部１１２と、送信部１１３と、を備える。受信部１１１は、基地局１２１，１２２の各アンテナ（複数のセル）により同時に無線送信される各信号を受信する。そして、受信部１１１は、同時に受信した各信号を比較部１１２へ出力する。
【００１９】
比較部１１２は、受信部１１１から出力された各信号のそれぞれに含まれる、間欠通信の各制御パラメータを取得し、取得した各制御パラメータを比較する。そして、比較部１１２は、比較結果（一致または不一致）を送信部１１３へ出力する。
【００２０】
送信部１１３は、比較部１１２から出力された比較結果に基づいて、複数のセルからの各制御パラメータが互いに一致しない場合に、間欠通信の制御パラメータの再送を基地局１２１，１２２（複数のセル）の両方に対して要求する要求信号を無線送信する。
【００２１】
たとえば、送信部１１３は、基地局１２１，１２２に対する要求信号をそれぞれ基地局１２１，１２２へ無線送信する。また、送信部１１３は、基地局１２１，１２２に対する要求信号をともに基地局１２１へ無線送信してもよい（たとえば図８参照）。
【００２２】
また、送信部１１３は、複数のセルからの各制御パラメータが互いに一致する場合は、要求信号を送信しない。この場合は、通信端末１１０は、複数のセルからの各制御パラメータに基づいて、基地局１２１，１２２（複数のセル）と通信端末１１０との間の間欠通信を行う。たとえば、間欠通信が受信部１１１による間欠受信を含む場合は、通信端末１１０は、複数のセルからの制御パラメータに基づいて受信部１１１による間欠受信を制御する。また、間欠通信が送信部１１３による間欠送信を含む場合は、通信端末１１０は、複数のセルからの制御パラメータに基づいて送信部１１３による間欠送信を制御する。
【００２３】
送信部１１３から要求信号が送信されると、基地局１２１，１２２は、たとえば基地局１２１，１２２の上位装置からの制御により、通信端末１１０への制御パラメータを再度、通信端末１１０へ同時に無線送信する。
【００２４】
これにより、通信端末１１０が同時に受信した各制御パラメータが一致するまで両セル（基地局１２１，１２２）に対する再送要求を行うことができる。このため、制御パラメータの誤りによる間欠通信の誤動作を抑えることができる。
【００２５】
図１Ｃは、実施の形態１にかかる通信システムの変形例を示す図である。図１Ｄは、図１Ｃに示した通信システムにおける信号の流れの一例を示す図である。図１Ｃ，図１Ｄにおいて、図１Ａ，図１Ｂに示した部分と同様の部分については同一の符号を付して説明を省略する。図１Ｃ，図１Ｄに示すように、通信端末１１０のデュアルセル通信に用いる複数のセルは、基地局１２１が有する複数のアンテナによって形成されていてもよい。
【００２６】
図１Ｃ，図１Ｄに示す構成において、受信部１１１は、基地局１２１の各アンテナ（複数のセル）により同時に無線送信される各信号を受信する。また、送信部１１３は、複数のセルからの各制御パラメータが互いに一致しない場合に、間欠通信の制御パラメータの複数のセルによる再送を基地局１２１に対して要求する要求信号を無線送信する。
【００２７】
このように、実施の形態１にかかる通信システム１００によれば、通信端末１１０が同時に受信した各制御パラメータが一致するまで複数のセルに対する再送要求を行うことができる。このため、制御パラメータの誤りによる間欠通信の誤動作を抑え、通信品質の向上を図ることができる。
【００２８】
（実施の形態２）
（実施の形態２にかかる通信システム）
図２は、実施の形態２にかかる通信システムの一例を示す図である。図２に示すように、実施の形態２にかかる通信システム２００は、ＲＮＣ２１０と、ＢＴＳ２２１，２２２と、ＭＳ２３０と、を含む。ＲＮＣ２１０（Ｒａｄｉｏ  Ｎｅｔｗｏｒｋ  Ｃｏｎｔｒｏｌｌｅｒ：無線ネットワーク制御局）は、ＢＴＳ２２１，２２２の上位装置であり、ＢＴＳ２２１，２２２とＭＳ２３０との間の無線通信を制御する。
【００２９】
ＢＴＳ２２１，２２２（Ｂａｓｅ  Ｔｒａｎｓｃｅｉｖｅｒ  Ｓｔａｔｉｏｎ）は、ＲＮＣ２１０からの制御によってＭＳ２３０と無線通信を行う基地局である。ＲＮＣ２１０とＢＴＳ２２１，２２２との間はたとえば有線により接続されている。
【００３０】
ＭＳ２３０（ＭＳ：Ｍｏｂｉｌｅ  Ｓｔａｔｉｏｎ）は、ＢＴＳ２２１，２２２との間で無線通信を行う。ＭＳ２３０とＢＴＳ２２１，２２２との間では、たとえばＨＳＤＰＡによる通信が行われる。ＨＳＤＰＡにおいては、物理チャネルとして、たとえばＨＳ−ＰＤＳＣＨ、ＨＳ−ＳＣＣＨおよびＨＳ−ＤＰＣＣＨが規定されている。ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）は、ＨＳＤＰＡを実現する下りの基本チャネルであり、多くのユーザの信号を時間および符号により多重して高速転送を行うチャネルである。
【００３１】
ＨＳ−ＳＣＣＨ（Ｈｉｇｈ  Ｓｐｅｅｄ−Ｓｈａｒｅｄ  Ｃｏｎｔｒｏｌ  Ｃｈａｎｎｅｌ）は、下りリンク制御信号を伝送するチャネルであり、ＨＳ−ＤＳＣＨをＭＳ２３０で受信するために要する情報を伝送するチャネルである。
【００３２】
ＨＳ−ＤＰＣＣＨ（Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）は、上り方向で、ＭＳ２３０からの自動再送制御のための受信確認（ＡＣＫ／ＮＡＣＫ）や、受信信号の状態を伝送するチャネルである。
【００３３】
パケットデータ通信においては、常に連続して通信を行う場合だけでなく、突発的に大量の通信を行う場合もある。ユーザ観点では、常に通信ができる状態であることは利点となるが、一方でデータ通信を常時行うため、消費電力増加につながる。このため、３ＧＰＰ  Ｒｅｌｅａｓｅ７からＣＰＣ（Ｃｏｎｔｉｎｕｏｕｓ  Ｐａｃｋｅｔ  Ｃｏｎｎｅｃｔｉｖｉｔｙ：連続パケット接続）制御が規定されている。ＣＰＣ制御は、ＢＴＳ２２１，２２２に接続しているＭＳ２３０を含む複数の通信端末が、継続的にコネクションを維持できる機能である。
【００３４】
ＣＰＣ制御は、たとえば、ＭＳ２３０からＢＴＳ２２１，２２２への上り方向での間欠送信（ＤＴＸ）と、ＢＴＳ２２１，２２２からＭＳ２３０への下り方向での間欠受信（ＤＲＸ）と、を制御することで行われる。ＤＴＸやＤＲＸのパラメータおよびＣＰＣ処理の開始タイミングの情報などは、ＨＳ−ＳＣＣＨによりＢＴＳ２２１，２２２からＭＳ２３０へ送信される。
【００３５】
また、ＶｏＩＰ（Ｖｏｉｃｅ  ｏｖｅｒ  ＩＰ）などの低レートで特定の種類の制御情報をＨＳ−ＳＣＣＨ上で通知するとオーバーヘッドが発生するため、ＨＳ−ＳＣＣＨを省略しても通信を可能とするＨＳ−ＳＣＣＨ  ｌｅｓｓ伝送機能も３ＧＰＰ  Ｒｅｌｅａｓｅ７で追加された。また、ＤＲＸ、ＤＴＸ、ＨＳ−ＳＣＣＨ  ｌｅｓｓ  ｏｐｅｒａｔｉｏｎなどのＡｃｔｉｖａｔｉｏｎ／Ｄｅ−ａｃｔｉｖａｔｉｏｎをＨＳ−ＳＣＣＨを用いて指示するＨＳ−ＳＣＣＨ  ｏｒｄｅｒ機能も追加された。
【００３６】
また、通信システム２００においては、ＲＮＣ２１０からの制御により、ＢＴＳ２２１のセルとＢＴＳ２２２のセルとを同時に用いてＭＳ２３０へＨＳ−ＤＳＣＨを送信するデュアルセルＨＳ−ＤＳＣＨ通信が行われる。たとえば、ＢＴＳ２２１がＳｅｒｖｉｎｇ  Ｃｅｌｌ（またはＰｒｉｍａｒｙ  Ｃｅｌｌ）となり、ＢＴＳ２２２がＳｅｃｏｎｄａｒｙ  ＣｅｌｌとなってデュアルセルＨＳ−ＤＳＣＨ通信が行われる。
【００３７】
デュアルセルＨＳ−ＤＳＣＨ通信におけるＨＳ−ＳＣＣＨ  ｏｒｄｅｒ処理において、ＭＳ２３０は、Ｓｅｒｖｉｎｇ  ＣｅｌｌであるＢＴＳ２２１からＳｅｒｖｉｎｇ  ＨＳ−ＳＣＣＨ  ｏｒｄｅｒを受信する。また、ＭＳ２３０は、Ｓｅｃｏｎｄａｒｙ  ＣｅｌｌであるＢＴＳ２２２からＳｅｃｏｎｄａｒｙ  ＨＳ−ＳＣＣＨ  ｏｒｄｅｒを受信する。このとき、ＢＴＳ２２１とＢＴＳ２２２では、ＭＳ２３０までの無線伝搬路が異なるため、伝搬路雑音により発生する符号誤りパターンも異なる。
【００３８】
ＨＳ−ＳＣＣＨ  ｏｒｄｅｒで通知されるパラメータには、Ｓｅｒｖｉｎｇ  ＣｅｌｌとＳｅｃｏｎｄａｒｙ  Ｃｅｌｌで同じパラメータが指定されるＤＲＸ  ｏｐｅｒａｔｉｏｎやＤＴＸ  ｏｐｅｒａｔｉｏｎなどのＣＰＣ制御パラメータが含まれる。
【００３９】
ＣＰＣ制御パラメータについて、ＭＳ２３０で受信した伝搬経路の違いにより、間欠通信のＡｃｔｉｖｅ（活性）とＤｅ−ａｃｔｉｖｅ（不活性）を同時に受けるような矛盾した信号を受信するケースが発生し得る。たとえば、ＨＳ−ＳＣＣＨ  ｏｒｄｅｒのＣＲＣ（Ｃｙｃｌｉｃ  Ｒｅｄｕｎｄａｎｃｙ  Ｃｈｅｃｋ：巡回冗長検査）は１６［ｂｉｔ］で構成される。このため、原理的には２16回に１回の頻度で誤検出が発生する。
【００４０】
ＨＳ−ＳＣＣＨ  ｏｒｄｅｒはＴＴＩ（Ｔｒａｎｓｍｉｓｓｉｏｎ  Ｔｉｍｅ  Ｉｎｔｅｒｖａｌ）ごとに受信されるため、ＴＴＩ＝２［ｍｓ］のケースでは２［ｍｓ］×（２16）＝１３１［ｓ］に１回の頻度で誤検出となる。これに対して、このような矛盾した指示を受信した場合の処理については３ＧＰＰで規定されていない。
【００４１】
仮に、ＢＴＳ２２１，２２２からＤＴＸのＡｃｔｉｖａｔｉｏｎを示すＣＰＣ制御パラメータが送信されたにもかかわらず、誤ってＤｅ−ａｃｔｉｖａｔｉｏｎとしてＭＳ２３０に受信されたとする。この場合に、ＢＴＳ２２１，２２２がＤＴＸを開始し、ＭＳ２３０がＤＴＸを停止すると、たとえば、ＢＴＳ２２１，２２２が受信しない期間においてＭＳ２３０がＢＴＳ２２１，２２２へ信号を送信することになり、異常動作となるという問題がある。
【００４２】
また、仮に、ＢＴＳ２２１，２２２からＤＴＸのＤｅ−ａｃｔｉｖａｔｉｏｎを示すＣＰＣ制御パラメータが送信されたにもかかわらず、誤ってＡｃｔｉｖａｔｉｏｎとしてＭＳ２３０に受信されたとする。この場合に、ＢＴＳ２２１，２２２がＤＴＸを停止し、ＭＳ２３０がＤＴＸを開始すると、たとえば、ＢＴＳ２２１，２２２は、ＭＳ２３０の送信期間にＭＳ２３０が信号を送信してこないため、受信失敗と判断する。そして、ＢＴＳ２２１，２２２は、下り通信中の場合にはデータを再送し、上り通信中の場合にはＭＳ２３０に再送要求を行う。このため、余分な通信が増えることにより伝送レートが下がり、通信品質の劣化を引き起こすという問題がある。
【００４３】
また、仮に、ＢＴＳ２２１，２２２からＤＲＸのＡｃｔｉｖａｔｉｏｎを示すＣＰＣ制御パラメータが送信されたにもかかわらず、誤ってＤｅ−ａｃｔｉｖａｔｉｏｎとしてＭＳ２３０に受信されたとする。この場合に、ＢＴＳ２２１，２２２がＤＲＸを開始し、ＭＳ２３０がＤＲＸを停止すると、たとえば、ＢＴＳ２２１，２２２は信号を間欠的に送信する一方、ＭＳ２３０は信号を連続受信する。このため、ＭＳ２３０において不要な受信区間が発生し、ＭＳ２３０の電力消費量が増加するという問題がある。
【００４４】
また、仮に、ＢＴＳ２２１，２２２からＤＲＸのＤｅ−ａｃｔｉｖａｔｉｏｎを示すＣＰＣ制御パラメータが送信されたにもかかわらず、誤ってＡｃｔｉｖａｔｉｏｎとしてＭＳ２３０に受信されたとする。この場合に、ＢＴＳ２２１，２２２がＤＲＸを停止し、ＭＳ２３０がＤＲＸを開始すると、たとえば、ＢＴＳ２２１，２２２は連続送信する一方、ＭＳ２３０は間欠動作を行うため、データの取りこぼしが発生する。このため、ＭＳ２３０は所望のデータを受信できないため、再送要求が発生し、伝送レートの低下を引き起こすという問題がある。
【００４５】
これに対して、通信システム２００におけるＭＳ２３０は、矛盾したＨＳ−ＳＣＣＨ  ｏｒｄｅｒを受信した場合に、ＢＴＳ２２１，２２２に対して再送を要求するＤＴＸを送信し、意図的に受信失敗とする。これにより、ＢＴＳ２２１，２２２はＨＳ−ＳＣＣＨ  ｏｒｄｅｒの再送を行うため、ＭＳ２３０は改めてＨＳ−ＳＣＣＨ  ｏｒｄｅｒ受信を試みることができる。このため、間欠通信の誤動作による上記の問題を抑制し、通信品質の向上を図ることができる。
【００４６】
なお、矛盾したＨＳ−ＳＣＣＨ  ｏｒｄｅｒを受信した場合に、Ｓｅｒｖｉｎｇ  ＨＳ−ＳＣＣＨ  ｏｒｄｅｒとＳｅｃｏｎｄａｒｙ  ＨＳ−ＳＣＣＨ  ｏｒｄｅｒの信号レベル測定結果に基づき、より強い信号の結果を優先する方法も考えられる。しかしながら、無線伝搬路では干渉性フェージングが発生するため、常に強い信号に符号誤りが無いとは限らない。これに対して、通信システム２００においては、矛盾したＨＳ−ＳＣＣＨ  ｏｒｄｅｒを受信した場合に、ＢＴＳ２２１，２２２に対して再送を要求することにより、制御パラメータの誤りに起因する間欠通信の誤動作をより確実に抑えることができる。
【００４７】
図１Ａ〜図１Ｄに示した通信端末１１０は、たとえばＭＳ２３０によって実現することができる。図１Ａ，図１Ｂに示した基地局１２１，１２２は、たとえばＢＴＳ２２１，２２２によって実現することができる。
【００４８】
（ＭＳの構成）
図３は、ＭＳの構成の一例を示す図である。図３に示すように、ＭＳ２３０は、たとえば、アンテナ３１１と、ＲＦ−ＬＳＩ３１２と、ＢＢ−ＬＳＩ３２１と、メモリ３２２と、ＡＰＬ−ＬＳＩ３３１と、メモリ３３２と、周辺機器３４０と、ＰＭＩＣ３５１と、電池３５２と、を含む。
【００４９】
ＲＦ−ＬＳＩ３１２（Ｒａｄｉｏ  Ｆｒｅｑｕｅｎｃｙ−Ｌａｒｇｅ  Ｓｃａｌｅ  Ｉｎｔｅｇｒａｔｉｏｎ：高周波−大規模集積回路）は、アンテナ３１１などのアナログの無線部と、ＢＢ−ＬＳＩ３２１などのディジタルの制御部と、を仲介する回路である。
【００５０】
ＢＢ−ＬＳＩ３２１（Ｂａｓｅ  Ｂａｎｄ−ＬＳＩ）は、通信制御を行う回路である。メモリ３２２（Ｍｅｍｏｒｙ）は、ＢＢ−ＬＳＩ３２１のワークメモリとして用いられるメモリである。メモリ３２２はたとえばＲＡＭ（Ｒａｎｄｏｍ  Ａｃｃｅｓｓ  Ｍｅｍｏｒｙ：ランダムアクセスメモリ）である。
【００５１】
ＡＰＬ−ＬＳＩ３３１（Ａｐｐｌｉｃａｔｉｏｎ−ＬＳＩ）は、アプリケーションを制御する回路である。メモリ３３２（Ｍｅｍｏｒｙ）は、ＡＰＬ−ＬＳＩ３３１のワークメモリとして用いられるメモリである。メモリ３３２はたとえばＲＡＭである。
【００５２】
周辺機器３４０（Ｐｅｒｉｐｈｅｒａｌ）は、たとえばディスプレイ（Ｄｉｓｐｌａｙ）、キーボード（Ｋｅｙｂｏａｒｄ）などの周辺機器（ペリフェラル）である。ＰＭＩＣ３５１（Ｐｏｗｅｒ  Ｍａｎａｇｅｍｅｎｔ  Ｉｎｔｅｇｒａｔｅｄ  Ｃｉｒｃｕｉｔ：電源管理用集積回路）は、電源制御を行う回路である。たとえば、ＰＭＩＣ３５１は、電池３５２（Ｂａｔｔｅｒｙ）からの電源をＭＳ２３０の各部へ供給する。
【００５３】
図１Ａ〜図１Ｄに示した受信部１１１は、たとえばアンテナ３１１、ＲＦ−ＬＳＩ３１２およびＢＢ−ＬＳＩ３２１によって実現することができる。図１Ａ〜図１Ｄに示した比較部１１２は、たとえばＢＢ−ＬＳＩ３２１によって実現することができる。図１Ａ〜図１Ｄに示した送信部１１３は、たとえばアンテナ３１１、ＲＦ−ＬＳＩ３１２およびＢＢ−ＬＳＩ３２１によって実現することができる。
【００５４】
（ＢＢ−ＬＳＩの構成）
図４は、ＢＢ−ＬＳＩの構成の一例を示す図である。たとえば、図４に示すように、ＢＢ−ＬＳＩ３２１は、ＲＦＩＣ４１０と、ＤＳＰ処理部４２０と、ＣＰＵ処理部４３０と、メモリ４４０と、バス４９１，４９２と、を備える。図４に示すＢＢ−ＬＳＩ３２１は、３ＧＰＰ規格を実現する通信処理ＬＳＩである。
【００５５】
ＲＦＩＣ４１０（Ｒａｄｉｏ  Ｆｒｅｑｕｅｎｃｙ  Ｉｎｔｅｇｒａｔｅｄ  Ｃｉｒｃｕｉｔ：高周波回路）は、ＲＦ−ＬＳＩ３１２との間のインターフェイスとなる回路であり、ＲＦ信号を処理する。
【００５６】
ＤＳＰ処理部４２０は、ＤＳＰ（Ｄｉｇｉｔａｌ  Ｓｉｇｎａｌ  Ｐｒｏｃｅｓｓｏｒ）による無線信号処理を行う処理部である。ＤＳＰ処理部４２０は、ＲＦＩＣ４１０を介してＲＦ−ＬＳＩ３１２との間で信号を入出力する。
【００５７】
ＤＳＰ処理部４２０は、復調部４２１と、復号部４２２と、符号部４２３と、変調部４２４と、を備える。復調部４２１、復号部４２２、符号部４２３および変調部４２４は、バス４９１によって接続される。
【００５８】
ＣＰＵ処理部４３０は、ＣＰＵ（Ｃｅｎｔｒａｌ  Ｐｒｏｃｅｓｓｉｎｇ  Ｕｎｉｔ：中央処理装置）によるデータ処理を行う処理部である。ＣＰＵ処理部４３０は、メモリ３２２をワークメモリとして動作する。また、ＣＰＵ処理部４３０はＡＰＬ−ＬＳＩ３３１および周辺機器３４０と接続されている。
【００５９】
メモリ４４０（Ｍｅｍｏｒｙ）は、ＤＳＰ処理部４２０およびＣＰＵ処理部４３０によって共用されるメモリである。ＤＳＰ処理部４２０、ＣＰＵ処理部４３０およびメモリ４４０はバス４９１，４９２によって接続される。
【００６０】
（ＤＳＰ処理部における信号処理の流れ）
図５は、ＤＳＰ処理部における信号処理の流れの一例を示す図である。復調部４２１には、アンテナ３１１によって受信され、ＲＦ−ＬＳＩ３１２およびＲＦＩＣ４１０を経由した受信信号が入力される。受信信号には、ＢＴＳ２２１からのＨＳ−ＳＣＣＨ  ｏｒｄｅｒと、ＢＴＳ２２２からのＨＳ−ＳＣＣＨ  ｏｒｄｅｒと、が含まれる。
【００６１】
復調部４２１は、入力された受信信号に含まれる各ＨＳ−ＳＣＣＨ  ｏｒｄｅｒを復調する。そして、復調部４２１は、復調した各ＨＳ−ＳＣＣＨ  ｏｒｄｅｒを復号部４２２へ出力する。
【００６２】
復号部４２２は、復調部４２１から出力された各ＨＳ−ＳＣＣＨ  ｏｒｄｅｒについて、自局宛であるか否かを判断し、自局宛であると判断した各ＨＳ−ＳＣＣＨ  ｏｒｄｅｒを復号する。また、復号部４２２は、復号した各ＨＳ−ＳＣＣＨ  ｏｒｄｅｒの誤り検出を行う。誤り検出には、たとえばＣＲＣを用いることができる。また、復号部４２２は比較部５０１を有する。比較部５０１は、復号された各ＨＳ−ＳＣＣＨ  ｏｒｄｅｒのＣＰＣ制御パラメータを比較する。
【００６３】
復号部４２２は、誤り検出の結果および比較部５０１による比較結果に応じた受信応答を符号部４２３へ出力する。受信応答は、たとえばＡＣＫ、ＮＡＣＫ、ＤＴＸのいずれかである。たとえば、復号部４２２は、復調部４２１から出力された各ＨＳ−ＳＣＣＨ  ｏｒｄｅｒに自局宛の指示がない場合は、各ＨＳ−ＳＣＣＨ  ｏｒｄｅｒに対するＤＴＸを出力する。また、復号部４２２は、比較部５０１による比較結果が不一致であった場合にも各ＨＳ−ＳＣＣＨ  ｏｒｄｅｒに対するＤＴＸを出力する。
【００６４】
また、復号部４２２は、復号した各ＨＳ−ＳＣＣＨ  ｏｒｄｅｒに誤りを検出した場合は、誤りを検出したＨＳ−ＳＣＣＨ  ｏｒｄｅｒについてのＮＡＣＫを出力する。また、復号部４２２は、復号した各ＨＳ−ＳＣＣＨ  ｏｒｄｅｒに誤りを検出せず、かつ比較部５０１による比較結果が一致であった場合は、各ＨＳ−ＳＣＣＨ  ｏｒｄｅｒに対するＡＣＫを出力する。
【００６５】
符号部４２３は、復号部４２２から出力された、ＢＴＳ２２１，２２２に対する各受信応答を符号化する。そして、符号部４２３は、符号化した各受信応答を変調部４２４へ出力する。変調部４２４は、符号部４２３から出力された各受信応答による変調を行う。そして、変調部４２４は、変調により得られた受信応答（ＡＣＫ／ＮＡＣＫ／ＤＴＸ）を、ＲＦＩＣ４１０を介してＲＦ−ＬＳＩ３１２へ出力する。
【００６６】
（ＨＳ−ＳＣＣＨ  ｏｒｄｅｒのマッピング）
図６は、ＨＳ−ＳＣＣＨ  ｏｒｄｅｒのマッピングの一例を示す図である。図６に示すフレーム６００は、３ＧＰＰ（ＴＳ２５．２１２  ４．６Ｃ）で規定されている、ＢＴＳ２２１，２２２からＭＳ２３０へ送信されるＨＳ−ＳＣＣＨ  ｏｒｄｅｒのフレームである。フレーム６００は、「Ｘ＿ｏｄｔ１〜３」、「Ｘ＿ｏｒｄ１〜３」および「Ｘ＿ｕｅ１〜１６」を含む。
【００６７】
「Ｘ＿ｏｄｔ１〜３」は、ＨＳ−ＳＣＣＨ  ｏｒｄｅｒの種別（Ｏｒｄｅｒ  ｔｙｐｅ）を示す３［ｂｉｔ］の領域である。「Ｘ＿ｏｒｄ１〜３」は、ＨＳ−ＳＣＣＨ  ｏｒｄｅｒの指示（Ｏｒｄｅｒ）を示す３［ｂｉｔ］の領域である。「Ｘ＿ｕｅ１〜１６」は、ＭＳ２３０の識別情報（ＵＥ  ｉｄｅｎｔｉｔｙ）を示す１６［ｂｉｔ］の領域である。
【００６８】
まず、「Ｘ＿ｏｄｔ１〜３」＝“０００”である場合について説明する。この場合は、「Ｘ＿ｏｒｄ１」＝“１”がＤＲＸのアクティベーション（ａｃｔｉｖａｔｉｏｎ）の指示を示し、「Ｘ＿ｏｒｄ１」＝“０”がＤＲＸのデアクティベーション（ｄｅａｃｔｉｖａｔｉｏｎ）の指示を示す。「Ｘ＿ｏｒｄ２」＝“１”がＤＴＸのアクティベーションの指示を示し、「Ｘ＿ｏｒｄ２」＝“０”がＤＴＸのデアクティベーションの指示を示す。また、「Ｘ＿ｏｒｄ３」＝“１”がＨＳ−ＳＣＣＨ  ｌｅｓｓのアクティベーションの指示を示し、「Ｘ＿ｏｒｄ３」＝“０”がＨＳ−ＳＣＣＨ  ｌｅｓｓのデアクティベーションの指示を示す。
【００６９】
つぎに、「Ｘ＿ｏｄｔ１〜３」＝“００１”である場合について説明する。この場合は、「Ｘ＿ｏｒｄ１〜２」はＲｅｓｅｒｖｅｄとなっている。また、「Ｘ＿ｏｒｄ３」＝“１”がＳｅｃｏｎｄａｒｙ  ＨＳ−ＤＳＣＨセルのアクティベーションの指示を示す。また、「Ｘ＿ｏｒｄ３」＝“０”がＳｅｃｏｎｄａｒｙ  ＨＳ−ＤＳＣＨセルのデアクティベーションの指示を示す。
【００７０】
図５に示した比較部５０１は、たとえば、各ＨＳ−ＳＣＣＨ  ｏｒｄｅｒにおいて「Ｘ＿ｏｄｔ１〜３」＝“０００”である場合に、各ＨＳ−ＳＣＣＨ  ｏｒｄｅｒの「Ｘ＿ｏｒｄ１」を比較する。これにより、間欠通信の制御パラメータを比較することができる。
【００７１】
（ＨＳ−ＳＣＣＨ  ｏｒｄｅｒによるＣＰＣ制御時の動作）
図７は、ＨＳ−ＳＣＣＨ  ｏｒｄｅｒによるＣＰＣ制御時の動作の一例を示すシーケンス図である。図７においては、ＢＴＳ２２１とＭＳ２３０との間の動作について説明するが、ＢＴＳ２２２とＭＳ２３０との間の動作についても同様である。
【００７２】
まず、ＢＴＳ２２１とＭＳ２３０とがＨＳＤＰＡによる連続通信中であるとする（ステップＳ７０１）。つぎに、ＢＴＳ２２１が、ＲＮＣ２１０からの制御によってＭＳ２３０へＨＳ−ＳＣＣＨを送信する（ステップＳ７０２）。また、ＢＴＳ２２１が、ＲＮＣ２１０からの制御によってＭＳ２３０へＨＳ−ＰＤＳＣＨを送信する（ステップＳ７０３）。
【００７３】
つぎに、ＭＳ２３０のＤＳＰ処理部４２０が、ステップＳ７０２，Ｓ７０３によって送信されたＨＳ−ＳＣＣＨおよびＨＳ−ＰＤＳＣＨに対する受信応答（ＡＣＫ）をＢＴＳ２２１へ送信する（ステップＳ７０４）。また、ＤＳＰ処理部４２０が、ステップＳ７０２，Ｓ７０３によって受信したＨＳ−ＰＤＳＣＨの復号データを、上位レイヤであるＣＰＵ処理部４３０へ出力する（ステップＳ７０５）。たとえば、ＤＳＰ処理部４２０は、ＨＳ−ＳＣＣＨに基づき、最大４つの復号パターンによりＨＳ−ＰＤＳＣＨの復号を行う。
【００７４】
つぎに、ＣＰＵ処理部４３０が、ステップＳ７０５によって出力された復号データに基づくチャネル状態変更をＤＳＰ処理部４２０へ通知する（ステップＳ７０６）。チャネル状態変更には、間欠通信（ＤＲＸまたはＤＴＸ）の変更内容（活性／不活性等）や間欠通信の変更のタイミングなどのＣＰＣ制御パラメータが含まれる。
【００７５】
つぎに、ＢＴＳ２２１が、ＲＮＣ２１０からの制御によってＨＳ−ＳＣＣＨ  ｏｒｄｅｒをＭＳ２３０へ送信する（ステップＳ７０７）。つぎに、ＭＳ２３０のＤＳＰ処理部４２０が、ステップＳ７０７によって送信されたＨＳ−ＳＣＣＨ  ｏｒｄｅｒに対する受信応答（ＡＣＫ）をＢＴＳ２２１へ送信する（ステップＳ７０８）。
【００７６】
つぎに、ＢＴＳ２２１とＭＳ２３０が、ステップＳ７０７のＨＳ−ＳＣＣＨ  ｏｒｄｅｒによって指定されたタイミングにおいて間欠通信処理を切り替え、ＨＳＤＰＡによる間欠通信中となる（ステップＳ７０９）。
【００７７】
（ＣＰＣ制御パラメータの不一致発生時の動作）
図８は、ＣＰＣ制御パラメータの不一致発生時の動作の一例を示すシーケンス図である。図８において、デュアルセルＨＳ−ＤＳＣＨ通信において、複数のセルからＭＳ２３０が受信した各ＣＰＣ制御パラメータの不一致が発生した時のＢＴＳ２２１，２２２およびＭＳ２３０のＤＳＰ処理部４２０による動作について説明する。
【００７８】
まず、ＢＴＳ２２１，２２２とＭＳ２３０がＤＣ−ＨＳＤＰＡによる連続通信中であるとする（ステップＳ８０１）。つぎに、ＢＴＳ２２１が、ＲＮＣ２１０からの制御によってＭＳ２３０へＳｅｒｖｉｎｇ  ＨＳ−ＳＣＣＨ  ｏｒｄｅｒを送信する（ステップＳ８０２）。また、ＢＴＳ２２２が、ＲＮＣ２１０からの制御によってＭＳ２３０へＳｅｃｏｎｄａｒｙ  ＨＳ−ＳＣＣＨ  ｏｒｄｅｒを送信する（ステップＳ８０３）。ステップＳ８０２，Ｓ８０３の各送信はデュアルセル通信によって同時に行われる。
【００７９】
つぎに、ＭＳ２３０が、ステップＳ８０２，Ｓ８０３によって送信された各ＨＳ−ＳＣＣＨ  ｏｒｄｅｒを復調する（ステップＳ８０４）。つぎに、ＭＳ２３０が、ステップＳ８０４によって復調した各ＨＳ−ＳＣＣＨ  ｏｒｄｅｒを復号する（ステップＳ８０５）。つぎに、ＭＳ２３０が、ステップＳ８０５による復号結果に基づいて、ＳｅｒｖｉｎｇおよびＳｅｃｏｎｄａｒｙの各ＨＳ−ＳＣＣＨ  ｏｒｄｅｒのＣＰＣ制御パラメータを比較する（ステップＳ８０６）。ステップＳ８０６においては、各ＣＰＣ制御パラメータが不一致であったとする。
【００８０】
つぎに、ＭＳ２３０は、ＢＴＳ２２１，２２２に対する受信応答をまとめてＢＴＳ２２１へ送信する（ステップＳ８０７）。ステップＳ８０７によってＭＳ２３０が送信する受信応答は、ＢＴＳ２２１，２２２の両方に対する再送要求（Ｓｅｒｖｉｎｇ：ＤＴＸ，Ｓｅｃｏｎｄａｒｙ：ＤＴＸ）である。ＢＴＳ２２１へ送信された受信応答はＲＮＣ２１０へ転送される。
【００８１】
つぎに、ＢＴＳ２２１が、ＲＮＣ２１０からの制御によって、ステップＳ８０２において送信したＳｅｒｖｉｎｇ  ＨＳ−ＳＣＣＨ  ｏｒｄｅｒをＭＳ２３０へ再送する（ステップＳ８０８）。また、ＢＴＳ２２２が、ＲＮＣ２１０からの制御によって、ステップＳ８０３において送信したＳｅｃｏｎｄａｒｙ  ＨＳ−ＳＣＣＨ  ｏｒｄｅｒをＭＳ２３０へ再送する（ステップＳ８０９）。ステップＳ８０８，Ｓ８０９の各再送はデュアルセル通信によって同時に行われる。
【００８２】
つぎに、ＭＳ２３０が、ステップＳ８０８，Ｓ８０９によって送信された各ＨＳ−ＳＣＣＨ  ｏｒｄｅｒを復調する（ステップＳ８１０）。つぎに、ＭＳ２３０が、ステップＳ８１０によって復調した各ＨＳ−ＳＣＣＨ  ｏｒｄｅｒを復号する（ステップＳ８１１）。つぎに、ＭＳ２３０が、ステップＳ８１１による復号結果に基づいて、ＳｅｒｖｉｎｇおよびＳｅｃｏｎｄａｒｙの各ＨＳ−ＳＣＣＨ  ｏｒｄｅｒのＣＰＣ制御パラメータを比較する（ステップＳ８１２）。ステップＳ８１２においては、各ＣＰＣ制御パラメータが一致したとする。
【００８３】
つぎに、ＭＳ２３０が、ＢＴＳ２２１，２２２に対する受信応答をＢＴＳ２２１へ送信する（ステップＳ８１３）。ステップＳ８１３によってＭＳ２３０が送信する受信応答は、ＢＴＳ２２１，２２２の両方に対するＡＣＫである（Ｓｅｒｖｉｎｇ：ＡＣＫ，Ｓｅｃｏｎｄａｒｙ：ＡＣＫ）。
【００８４】
つぎに、ＢＴＳ２２１，２２２とＭＳ２３０が、ステップＳ８０８，Ｓ８０９の各ＨＳ−ＳＣＣＨ  ｏｒｄｅｒによって指定されたタイミングにおいて間欠通信処理を切り替え、ＤＣ−ＨＳＤＰＡによる間欠通信中となる（ステップＳ８１４）。
【００８５】
（ＭＳの動作）
図９は、ＭＳの動作の一例を示すフローチャートである。ＭＳ２３０は、サービングセル（ＢＴＳ２２１）およびセカンダリセル（ＢＴＳ２２２）からの各ＨＳ−ＳＣＣＨ  ｏｒｄｅｒを同時に受信すると、たとえば図９に示す各ステップを実行する。
【００８６】
まず、ＭＳ２３０は、受信したサービングセルとセカンダリセルのＨＳ−ＳＣＣＨ  ｏｒｄｅｒをそれぞれ復調する（ステップＳ９０１）。つぎに、ＭＳ２３０は、ステップＳ９０１によって復調した各ＨＳ−ＳＣＣＨ  ｏｒｄｅｒが自局宛であるか否かを判断する（ステップＳ９０２）。復調した各ＨＳ−ＳＣＣＨ  ｏｒｄｅｒが自局宛でない場合（ステップＳ９０２：Ｎｏ）は、ＭＳ２３０は、ＢＴＳ２２１，２２２（両方の基地局）へのＤＴＸをＢＴＳ２２１へ送信し（ステップＳ９０３）、一連の動作を終了する。
【００８７】
ステップＳ９０２において、復調した各ＨＳ−ＳＣＣＨ  ｏｒｄｅｒが自局宛である場合（ステップＳ９０２：Ｙｅｓ）は、ＭＳ２３０は、復調したサービングセルとセカンダリセルのＨＳ−ＳＣＣＨ  ｏｒｄｅｒをそれぞれ復号する（ステップＳ９０４）。
【００８８】
つぎに、ＭＳ２３０は、ステップＳ９０４によって復号した各ＨＳ−ＳＣＣＨ  ｏｒｄｅｒの少なくともいずれかに誤りを検出したか否かを判断する（ステップＳ９０５）。少なくともいずれかに誤りを検出した場合（ステップＳ９０５：Ｙｅｓ）は、ＭＳ２３０は、ＢＴＳ２２１，２２２のうちのＨＳ−ＳＣＣＨ  ｏｒｄｅｒの誤りを検出した基地局へのＮＡＣＫをＢＴＳ２２１へ送信し（ステップＳ９０６）、一連の動作を終了する。
【００８９】
ステップＳ９０５において、各ＨＳ−ＳＣＣＨ  ｏｒｄｅｒのいずれにも誤りを検出しなかった場合（ステップＳ９０５：Ｎｏ）は、ＭＳ２３０は、復号した各ＨＳ−ＳＣＣＨ  ｏｒｄｅｒに含まれるＣＰＣ制御パラメータが一致するか否かを判断する（ステップＳ９０７）。ＣＰＣ制御パラメータが一致しないと判断した場合（ステップＳ９０７：Ｎｏ）は、ＭＳ２３０は、ステップＳ９０３へ移行してＤＴＸを送信する。
【００９０】
ステップＳ９０７において、ＣＰＣ制御パラメータが一致すると判断した場合（ステップＳ９０７：Ｙｅｓ）は、ＭＳ２３０は、ＢＴＳ２２１，２２２（両方の基地局）へのＡＣＫをＢＴＳ２２１へ送信する（ステップＳ９０８）。つぎに、ＭＳ２３０は、ＣＰＣ制御パラメータに基づく間欠通信を開始し（ステップＳ９０９）、一連の動作を終了する。
【００９１】
以上説明したように、通信端末、通信システムおよび通信方法によれば、通信品質の向上を図ることができる。たとえば、デュアルセル通信時のＨＳ−ＳＣＣＨ  ｏｒｄｅｒ処理において、無線伝搬環境によりＣＰＣ制御パラメータに誤りが発生した場合に、基地局に再送させることでＨＳ−ＳＣＣＨ  ｏｒｄｅｒの再受信を試みることが可能となる。これにより、基地局と通信端末間のＣＰＣ制御状態の不一致に伴う無駄な通信を最小限に抑えることができ、通信品質の劣化を抑えることが可能になる。
【００９２】
上述した各実施の形態に関し、さらに以下の付記を開示する。
【００９３】
（付記１）複数のセルにより同時に無線送信された各信号を受信する受信部と、
前記受信部によって同時に受信された各信号に含まれる前記複数のセルと自端末との間の間欠通信の各制御パラメータを比較する比較部と、
前記比較部による比較結果に基づいて、前記各制御パラメータが一致しない場合に、前記制御パラメータの前記複数のセルによる再送を要求する要求信号を無線送信する送信部と、
を備えることを特徴とする通信端末。
【００９４】
（付記２）前記各制御パラメータが一致する場合に、前記制御パラメータに基づいて前記間欠通信を行うことを特徴とする付記１に記載の通信端末。
【００９５】
（付記３）前記複数のセルは、自端末との間の無線伝搬路が互いに異なるセルであることを特徴とする付記１または２に記載の通信端末。
【００９６】
（付記４）前記間欠通信は、自局が前記複数のセルからの各信号の受信を間欠的に行う間欠受信を含み、
前記制御パラメータは前記間欠受信の活性および不活性を制御するパラメータである、
ことを特徴とする付記１〜３のいずれか一つに記載の通信端末。
【００９７】
（付記５）前記間欠通信は、自局が前記複数のセルへの信号の送信を間欠的に行う間欠送信を含み、
前記制御パラメータは前記間欠送信の活性および不活性を制御するパラメータである、
ことを特徴とする付記１〜４のいずれか一つに記載の通信端末。
【００９８】
（付記６）複数のセルを形成し、前記複数のセルにより各信号を同時に無線送信する１つ以上の基地局と、
前記複数のセルにより同時に無線送信された各信号を受信し、同時に受信した各信号に含まれる前記複数のセルと自端末との間の間欠通信の各制御パラメータを比較し、前記各制御パラメータが一致しない場合に、前記制御パラメータの前記複数のセルによる再送を要求する要求信号を無線送信する通信端末と、
を含むことを特徴とする通信システム。
【００９９】
（付記７）複数のセルにより各信号を通信端末へ同時に無線送信する通信方法であって、
前記通信端末によって同時に受信された各信号に含まれる前記複数のセルと前記通信端末との間の間欠通信の各制御パラメータを比較し、
前記各制御パラメータが一致しない場合に、前記制御パラメータの前記複数のセルによる再送を要求する要求信号を無線送信する、
ことを特徴とする通信方法。
【符号の説明】
【０１００】
１００，２００  通信システム
１１０  通信端末
１１１  受信部
１１２  比較部
１１３  送信部
１２１，１２２  基地局
２１０  ＲＮＣ
２２１，２２２  ＢＴＳ
２３０  ＭＳ
３１１  アンテナ
３１２  ＲＦ−ＬＳＩ
３２１  ＢＢ−ＬＳＩ
３２２，３３２，４４０  メモリ
３３１  ＡＰＬ−ＬＳＩ
３４０  周辺機器
３５１  ＰＭＩＣ
３５２  電池
４１０  ＲＦＩＣ
４２０  ＤＳＰ処理部
４２１  復調部
４２２  復号部
４２３  符号部
４２４  変調部
４３０  ＣＰＵ処理部
４９１，４９２  バス
５０１  比較部
６００  フレーム
【図１Ａ】
2015002353.tif 000003
【図１Ｂ】
2015002353.tif 000004
【図１Ｃ】
2015002353.tif 000005
【図１Ｄ】
2015002353.tif 000006
【図２】
2015002353.tif 000007
【図３】
2015002353.tif 000008
【図４】
2015002353.tif 000009
【図５】
2015002353.tif 000010
【図６】
2015002353.tif 000011
【図７】
2015002353.tif 000012
【図８】
2015002353.tif 000013
【図９】
2015002353.tif 000014